(57)【要約】      （修正有）【課題】残り湯排出機能を簡単に得ることができる浴槽の給湯アダプタを提供する。【解決手段】一端開口を吐出口とする吐出流路Ａと、一端開口を吸引口３７ｂとする吸引流路Ｂとを備え、浴槽Ｔの側壁に取り付けられる一方、浴槽Ｔ外から吐出流路Ａに供給された湯水が吐出口から浴槽Ｔ内に吐出されるとともに、吸引口３７ｂから吸い込まれた浴槽Ｔ内の湯水が吸引流路Ｂを通って浴槽外Ｔに流出されるようにした浴槽の給湯アダプタＰを対象とする。アダプタＰは、上端開口が吸引口３７ｂに連結され、かつ下端開口７２が浴槽Ｔの底面に対応して配置された垂下吸引管７を備える。【選択図】図１
2016209377.tif 000002
【特許請求の範囲】
【請求項１】
一端開口を吐出口とする吐出流路と、一端開口を吸引口とする吸引流路とを備え、浴槽の側壁に取り付けられる一方、浴槽外から前記吐出流路に供給された湯水が前記吐出口から浴槽内に吐出されるとともに、前記吸引口から吸い込まれた浴槽内の湯水が前記吸引流路を通って浴槽外に流出されるようにした浴槽の給湯アダプタであって、
上端開口が前記吸引口に連結され、かつ下端開口が浴槽の底面に対応して配置された垂下吸引管を備えていることを特徴とする浴槽の給湯アダプタ。
【請求項２】
前記垂下吸引管の下側部が浴槽の内側面と底面とのコーナー部に対応して湾曲形成されることにより、前記垂下吸引管が浴槽の側壁内面からコーナー部内周面に沿って配置されているように構成されている請求項１に記載の浴槽の給湯アダプタ。
【請求項３】
前記吸引流路にその流路を通る湯水内の異物を除去するためのフィルターが着脱自在に取り付けられている請求項１または２に記載の浴槽の給湯アダプタ。
【請求項４】
前記垂下吸引管が前記吐出口に対し着脱自在に取り付けられている請求項１〜３のいずれか１項に記載の浴槽の給湯アダプタ。
【請求項５】
前記垂下吸引管の下端開口が浴槽の底面に沿う方向に向けて開放されている請求項１〜４のいずれか１項に記載の浴槽の給湯アダプタ。
【請求項６】
請求項１〜５のいずれか１項に記載の給湯アダプタと、
浴槽の外部に設けられた給湯機と、
前記給湯機と前記給湯アダプタとを連結する往き管および戻り管とを備え、
前記給湯機から供給された湯水が前記往き管および前記吐出流路を通って前記吐出口から浴槽内に吐出される一方、
前記吸引口から吸い込まれた浴槽内の湯水が前記吸引流路および前記戻り管を通って前記給湯機に戻されるように構成され、
前記給湯機は前記戻り管を通って戻された湯水を排出可能に構成されていることを特徴とする浴槽の給湯システム。
【発明の詳細な説明】
【技術分野】
【０００１】
この発明は、浴槽内に湯水を供給するために浴槽の側壁に組み付けられる浴槽の給湯アダプタおよびその給湯アダプタを備えた浴槽の給湯システムに関する。
【背景技術】
【０００２】
近年においては家庭内のネットワークで接続されたエアコン（エアコンディショナー）、照明器具等の各家電機器を携帯電話、スマートフォン、タブレット端末等を用いて外出先から遠隔操作する技術が多く提案されている。その一つとして、浴槽にお湯を供給する給湯機に対して外出先等の遠隔地からの操作によって、湯はりを行う技術が提案されている。湯はりを行う場合には通常、浴槽内の残り湯を排出してから浴槽内に湯水を供給してお湯を貯めるようにしている。
【０００３】
一般的な給湯アダプタを有する循環式の給湯システムにおいては給湯機から供給される湯水を浴槽内に給湯アダプタの吐出口等から吐出させてお湯を貯める湯はりの他に、浴槽内の湯水を給湯アダプタの吸引口から吸い込んで給湯機に戻して加熱してその加熱した湯水を給湯アダプタの吐出口から浴槽内に吐出する追焚を行えるようになっている。ところがこの給湯システムでは浴槽内の残り湯を自動的に排出するようなことは困難であり、言うまでもなく遠隔操作によって残り湯を排出してから湯はりを行うことは困難である。もっとも給湯アダプタの吸引口から吸い込んで給湯機に戻された湯水を給湯機において排出するように構成することは実現可能である。しかしながらそのように構成したとしても、給湯アダプタは浴槽の側壁における底面よりも高い位置に取り付けられるため、浴槽アダプタの吸引口の取付位置よりも水位が低くなるとそれ以上残り湯を吸引排出することができず、排水を十分に行うことが困難である。
【０００４】
一方従来より、特許文献１，２に示すように浴槽内に湯水を供給する給湯アダプタが浴槽の底壁に組み付けられるとともに、その給湯アダプタに排水栓が一体に組み込まれた排水栓一体型給湯アダプタが提案されている。このような排水栓一体型給湯アダプタにおいて排水栓として自動式（電動式）のものを用いれば、残り湯を自動的に排出することができる。従って遠隔操作によって残り湯を排出した後、浴槽内に湯水を供給できるため、湯水が残っている状態であっても湯はりを確実に行うことができる。
【先行技術文献】
【特許文献】
【０００５】
【特許文献１】特開２００１−１４９２４８号公報
【特許文献２】特開２００２−２６３０１９号公報
【発明の概要】
【発明が解決しようとする課題】
【０００６】
しかしながら、側壁に給湯アダプタが組み付けられた既存の浴槽に対して、自動排水機能を付与するために、上記排水栓一体型給湯アダプタを底壁に組み付けるとなると、大がかりな工事が必要となり、場合によっては浴槽ごと（ユニットバスごと）取り替える必要があり、実現するには多大な困難が伴うという課題があった。
【０００７】
この発明は、上記の課題に鑑みてなされたものであり、浴槽内の残り湯を排出できる機能を簡単に得ることができる浴槽の給湯アダプタおよび給湯システムを提供することを目的とする。
【課題を解決するための手段】
【０００８】
上記課題を解決するため、本発明は、以下の手段を備えるものである。
【０００９】
［１］一端開口を吐出口とする吐出流路と、一端開口を吸引口とする吸引流路とを備え、浴槽の側壁に取り付けられる一方、浴槽外から前記吐出流路に供給された湯水が前記吐出口から浴槽内に吐出されるとともに、前記吸引口から吸い込まれた浴槽内の湯水が前記吸引流路を通って浴槽外に流出されるようにした浴槽の給湯アダプタであって、
上端開口が前記吸引口に連結され、かつ下端開口が浴槽の底面に対応して配置された垂下吸引管を備えていることを特徴とする浴槽の給湯アダプタ。
【００１０】
［２］前記垂下吸引管の下側部が浴槽の内側面と底面とのコーナー部に対応して湾曲形成されることにより、前記垂下吸引管が浴槽の側壁内面からコーナー部内周面に沿って配置されているように構成されている前項１に記載の浴槽の給湯アダプタ。
【００１１】
［３］前記吸引流路にその流路を通る湯水内の異物を除去するためのフィルターが着脱自在に取り付けられている前項１または２に記載の浴槽の給湯アダプタ。
【００１２】
［４］前記垂下吸引管が前記吐出口に対し着脱自在に取り付けられている前項１〜３のいずれか１項に記載の浴槽の給湯アダプタ。
【００１３】
［５］前記垂下吸引管の下端開口が浴槽の底面に沿う方向に向けて開放されている前項１〜４のいずれか１項に記載の浴槽の給湯アダプタ。
【００１４】
［６］前項１〜５のいずれか１項に記載の給湯アダプタと、
浴槽の外部に設けられた給湯機と、
前記給湯機と前記給湯アダプタとを連結する往き管および戻り管とを備え、
前記給湯機から供給された湯水が前記往き管および前記吐出流路を通って前記吐出口から浴槽内に吐出される一方、
前記吸引口から吸い込まれた浴槽内の湯水が前記吸引流路および前記戻り管を通って前記給湯機に戻されるように構成され、
前記給湯機は前記戻り管を通って戻された湯水を排出可能に構成されていることを特徴とする浴槽の給湯システム。
【発明の効果】
【００１５】
発明［１］の浴槽の給湯アダプタによれば、上端開口が吸引口に連結され、かつ下端開口が浴槽の底面に対応して配置される垂下吸引管を備えているため、浴槽内の残り湯を垂下吸引管を介して吸引口から吸い込んで排出することによって、浴槽内の残り湯を確実に排出することができる。さらに本給湯アダプタは、既存のアダプタと比較して実質的に垂下吸引管が付加されるだけの構成であるため、本発明の構成を簡単に実現することができる。
【００１６】
発明［２］の浴槽の給湯アダプタによれば、垂下吸引管が浴槽の側壁内面から底面とのコーナー部にかけて収まり良く配置されるため、良好な美観を得ることができる。
【００１７】
発明［３］の浴槽の給湯アダプタによれば、吸引流路に吸い込まれた残り湯がフィルターを通過することによって残り湯内に含まれる毛髪や塵埃等の異物を除去することができる。このため例えば異物が給湯機内に吸い込まれるような不具合を確実に防止することができる。
【００１８】
発明［４］の浴槽の給湯アダプタによれば、垂下吸引管を着脱できるため、垂下吸引管だけを適当なサイズや形状のものに交換するだけで簡単に、浴槽の形状等に的確に対応することができ、上記の排水機構をより確実に得ることができる。
【００１９】
発明［５］の浴槽の給湯アダプタによれば、残り湯が少量であっても浴槽底面付近の残りが垂下吸引管の下端開口にスムーズに吸引されるため、排水性能をより一層向上させることができる。
【００２０】
発明［６］の浴槽の給湯システムによれば、上記と同様に排水機構を簡単に得ることができる。
【図面の簡単な説明】
【００２１】
【図１】図１はこの発明の実施形態の浴槽の給湯アダプタが適用された給湯システムを示す断面図である。
【図２】図２は実施形態の給湯アダプタを分解して示す断面図である。
【図３】図３は実施形態の給湯アダプタを分解して示す斜視図である。
【図４】図４は実施形態の給湯アダプタにおいて前蓋を取り外した状態の正面図である。
【図５】図５は実施形態の給湯アダプタにおける流路仕切部材を分解して示す斜視図である。
【図６】図６は実施形態の給湯アダプタにおける前蓋を示す正面図である。
【図７】図７は実施形態の給湯アダプタにおけるフィルター部材を示す側面図である。
【発明を実施するための形態】
【００２２】
図１はこの発明の実施形態である浴槽の給湯アダプタＰが適用された給湯システムを示す断面図、図２は給湯アダプタＰを分解して示す断面図、図３は給湯アダプタＰを分解して示す斜視図、図４は給湯アダプタＰにおいて前蓋を取り外した状態の正面図である。なお以下の説明においては給湯アダプタＰの軸心に沿って浴槽内側（図１および図２の左側）を「前側」または「表面側」とし、浴槽外側（図１および図２の右側）を「後側」または「裏面側」として説明する。
【００２３】
図１〜図４に示すように本実施形態の給湯アダプタＰは、槽外取付部材１と、雄ねじ部材２と、流路仕切部材３と、垂下吸引管７とを基本的な構成要素として備えている。本実施形態においては、給湯アダプタＰから垂下吸引管７を取り除いたものをアダプタ本体と称している。
【００２４】
槽外取付部材１は、前面側が開放され、かつ後面側が閉塞された円筒形状の外筒部１２と、その外筒部１２の内部に同軸心上に配置される円筒形状の内筒部１１と、外筒部１２の前端外周に設けられた平板リング状のフランジ部１５と、外筒部１２の後端閉塞壁に設けられる管状の往き管接続部１ａおよび戻り管接続部１ｂとを一体に有している。
【００２５】
後に詳述するが、アダプタＰの内部における往き管接続部１ａの内部から後述の吐出口３７ａに至る流路が吐出流路Ａを構成するものであり、戻り管接続部１ｂの内部から後述の吸引口３７ｂに至る経路が吸引流路Ｂを構成するものである。本実施形態において吐出流路Ａと吸引流路Ｂとは互いに独立した流路である。
【００２６】
槽外取付部材１における内筒部１１の内部空間は、吸引流路Ｂの一部として構成されるとともに、内筒部１１および外筒部１２間の環状空間は、吐出流路Ａの一部として構成されている。上記往き管接続部１ａが内筒部１１および外筒部１２間の環状空間（吐出流路Ａ）に連通されるとともに、戻り管接続部１ｂが内筒部１１の内部空間（吸引流路Ｂ）に連通されている。また外筒部１２の前部内周面には雄ねじ部材２をねじ込むための雌ねじが刻設されている。
【００２７】
雄ねじ部材２は、前後両端が開放された円筒形状の胴部２１と、その胴部２１の前端外周に設けられた平板リング状のフランジ部２５とを一体に有する鍔付き円筒体をもって構成されている。
【００２８】
胴部２１の外周側面には、上記槽外取付部材１における外筒部１２の雌ねじに対応して、雄ねじが刻設されており、胴部２１を槽外取付部材１の外筒部１２内にねじ込んで固定できるようになっている。
【００２９】
そして槽外取付部材１のフランジ部１５が、浴槽の外壁面における取付孔Ｈの周縁部に沿うように配置された状態で、雄ねじ部材２のフランジ部２５が浴槽内壁面における取付孔Ｈの周縁部に圧接されるようにして、雄ねじ部材２の胴部２１が取付孔Ｈを通じて槽外取付部材１の外筒部１２にねじ込まれて固定される。これにより両部材１，２のフランジ部１５，２５によって、浴槽側壁における取付孔周縁部が挟持されて、両部材１，２が浴槽側壁に貫通状態に組み付けられる。
【００３０】
図５は実施形態の給湯アダプタにおける流路仕切部材を分解して示す斜視図である。図１〜図５に示すように流路仕切部材３は、雄ねじ部材２のフランジ部２５に対応して円板部３１を備えており、その円板部３１の中央には円形の内側連通孔３２ｂが形成されている。
【００３１】
円板部３１の表面側（前面側）における外周縁上側には外周壁３４が前方に突出するように一体に形成されている。さらに円板部３１の表面側には内側連通孔３２ｂの上側部を囲い、かつその上側囲い部の両端部からそれぞれ下方に延びる仕切壁３５が前方に突出するように一体に形成されている。円板部３１の表面側において仕切壁３５の内側は内側流路３３ｂとして構成されており、その内側流路３３ｂが吸引流路Ｂの一部を構成している。さらに円板部３１の表面側において外周壁３４の内側における仕切壁３５の外側は外側流路３３ａとして構成されており、その外側流路３３ａが吐出流路Ａの一部を構成している。
【００３２】
流路仕切部材３における内側流路３３ｂの下端開口には、下方に突出するように延長管部３６が一体に形成されている。延長管路３６は断面形状が扁平な矩形状に形成されており、延長管部３６の下端開口としての吸引口３７ｂも同様に扁平な矩形状に形成されている。この吸引口３７ｂが延長管部３６の内部を介して内側流路３３ｂに連通している。本実施形態において延長管路３６の内部は吸引流路Ｂの一部を構成している。
【００３３】
円板部３１の表面側の外周縁下側において仕切壁３５の両側には吐出口３７ａが形成されており、この吐出口３７ａによって外側流路３３ａが浴槽Ｔ内に開放されている。
【００３４】
円板部３１の裏面側（後面側）における内側連通孔３２ｂの周縁部には軸心方向に沿って後方に延びる細長い円筒形状の円筒部３０が一体に形成されている。円筒部３０の内部は吸引流路Ｂの一部を構成するものであり、その円筒部３３の内部が内側連通孔３２ｂを介して円板部表面側の内側流路３３ｂに連通接続されている。
【００３５】
円筒部３０は、後述するように雄ねじ部材２の胴部２１内に配置されるものであり、円筒部３０および胴部２１間の環状空間が吐出流路Ａの一部を構成するとともに、その環状空間が外側連通孔３２ａを介して円板部表面側の外側流路３３ａに連通接続されている。
【００３６】
流路仕切部材３における円筒部３０の前端部は径寸法が大きく形成されて、その大径部がフィルター収容凹部３８として構成されている。このフィルター収容凹部３８の前端開口は円板部３０の上記内側連通孔３２ｂに相当することになる。
【００３７】
流路仕切部材３の前面側には、円板部３１の外側流路３３ａおよび内側流路３３ｂの前面側を閉塞するように円形の前蓋４が取り付けられている。この前蓋４の中央にはフィルター収容凹部３８に対応してフィルター出入口４１が形成されており、このフィルター出入口４１を介してフィルター収容凹部３８が前方に開放されている。また前蓋４にはフィルター出入口４１の内周縁部に沿って凹段部４２が形成されるとともに、フィルター出入口４１の内周縁部には内径方向に突出する２つのロック爪４３が一体に形成されている（図６等参照）。なお本実施形態においては前蓋４は流路仕切部材３の一部を構成するものである。
【００３８】
この流路仕切部材３が浴槽側壁に組み付けられた雄ねじ部材２に着脱自在に組み付けられる。すなわち流路仕切部材３の円筒部３０が雄ねじ部材２の内部に挿通されて槽外取付部材１の内筒部１１に嵌め込まれた状態で、流路仕切部材３の円板部３１における裏面側外周縁部が雄ねじ部材２のフランジ部２５における表面側に着脱自在に固定される。このように流路仕切部材３が組み付けられた状態では、槽外取付部材１の内筒部１１および外筒部１２間の環状流路と、雄ねじ部材２の胴部２１および流路仕切部材３の円筒部３０間の環状流路と、流路仕切部材３の外側連通孔３２ａと、流路仕切部材３の外側流路３３ａとによって上記の吐出流路Ａが形成される。そして槽外取付部材１の往き管接続部１ａ内に導入された湯水が吐出流路Ａを通って流路仕切部材３の吐出口３７ａから吐出されるように構成される。さらに槽外取付部材１の内筒部１１の内部と、流路仕切部材３の円筒部３０の内部と、流路仕切部材３の内側連通孔３２ａと、流路仕切部材３の内側流路３３ｂと、流路仕切部材３の延長管部３６の内部とによって上記の吸引流路Ｂが形成される。そして流路仕切部材３の吸引口３７ｂから吸引された湯水が吸引流路Ｂを通って槽外取付部材１の戻り管接続部１ｂ内に導かれるように構成されている。
【００３９】
本実施形態においては、流路仕切部材３の吐出口３７ａが吐出流路Ａの一端開口として構成されるとともに、吸引口３７ｂが吸引流路Ｂの一端開口として構成されている。
【００４０】
図５および図７に示すように流路仕切部材３のフィルター収容凹部３８に収容されるフィルター部材５１は、上記前蓋４のフィルター出入口４１を水密状態に閉塞可能な円板状の蓋部５２と、その蓋部５２の裏面側から後方へ延び、かつ後端が開放された略円筒形状の円筒部５０とを一体に備えている。円筒部５０には流路仕切部材３の内側流路３３ｂに対応して連通孔５３が形成されている。なお本実施形態においては、フィルター部材５１の蓋部５２は、流路仕切部材３の一部を兼用するものではあるが、本実施形態ではフィルター部材５１は流路仕切部材３とは別の構成部品として扱っている。
【００４１】
またフィルター部材５１の円筒部５０の外周面には、前蓋４のロック爪４３に対応し、かつ軸心方向に延びて後端側に開放されるガイド溝５４と、ガイド溝５４の前端に連通し、かつ周方向に延びるロック溝５５とが形成されている。
【００４２】
このフィルター部材５１における円筒部５０の後端開口部には、メッシュ材や不織布等によって構成されるフィルター５が、円筒部５０の後端開口部を閉塞する態様に着脱自在に取り付けられている。
【００４３】
そしてこのフィルター部材５１が流路仕切部材３に着脱自在に組み付けられる。すなわちフィルター部材５１のガイド溝５４に前蓋４のロック爪４３を収容しながら、フィルター部材５１の円筒部５０を前蓋４のフィルター出入口４１を介してフィルター収容凹部３８内に挿入していき、フィルター部材５１の蓋部５２の外周縁部を前蓋４におけるフィルター出入口周縁の凹段部４２に適合状態に嵌め込むとともに、前蓋４のロック爪４３をフィルター部材５１のロック溝５５に対応させて配置する。その状態からフィルター部材５１を周方向に少量捻回操作して、ロック爪４３をロック溝５５内に収容する。これによりフィルター部材５１における円筒部５０が流路仕切部材３のフィルター収容凹部３８内に収容されるとともに、蓋部５２によって前蓋４のフィルター出入口４１が閉塞された状態でフィルター部材５１が流路仕切部材３に対して抜け止め状態に組み付けられる。
【００４４】
この組付状態においてはフィルター部材５１における円筒部５０の内部が連通孔５３を介して流路仕切部材３の内側流路３３ｂに連通されるとともに、円筒部５０の内部が、後端開口部に設けられるフィルター５を介して流路仕切部材３の円筒部３０内に連通されることとなる。このようにフィルター部材５１が流路仕切部材３の内側流路３３ｂから円筒部３０の内部にかけて配置されることにより、つまりフィルター部材５１が吸引流路Ｂ上に配置されることにより、吸引流路Ｂを流通する湯水はフィルター５を通過するようになっている。具体的には流路仕切部材３の吸引口３７ｂから吸い込まれた湯水は、延長管路３６の内部、内側流路３３ｂを通ってフィルター部材５の連通孔５３からフィルター部材５１の円筒部５０内に導入される。さらに円筒部５０内に導入された湯水はフィルター５を通過して流路仕切部材３における円筒部３０の内部に導入され、さらに槽外取付部材１の内筒部１１の内部を通過して戻り管接続部１ｂ内に導かれるようになっている。
【００４５】
一方、組付状態のフィルター部材５１を流路仕切部材３から取り外す場合には、フィルター部材５１を上記とは逆方向に少量捻回操作することにより、前蓋４のロック爪４３をフィルター部材５１のロック溝５５からガイド溝５４内に移動させる。これによりロックが解除されて、フィルター部材５１（フィルター５）をフィルター収容凹部３８から抜き取ることが可能となる。
【００４６】
なお本実施形態においては、フィルター部材５１における蓋部５２の前面にはつまみ５６が形成されており、このつまみ５６をつまむことにより、フィルター部材５１の流路仕切部材３に対する挿脱操作や捻回操作を容易に行うことができるようになっている。
【００４７】
図１〜図５に示すように垂下吸引管７はその断面形状が流路仕切部材３の吸引口３７ｂの形状に対応して扁平な矩形状に形成されており、この垂下吸引管７の上端部が流路仕切部材３の吸引口３７ｂに着脱自在に挿着されている。垂下吸引管７の上側部は直線状に形成されており、その上側部が浴槽側壁の内面に沿うように配置されている。垂下吸引管７の下側部は前方に緩やかに湾曲しており、その湾曲部７１が浴槽側壁および底壁とのコーナー部に沿うように配置されている。さらに垂下吸引管７の下端の下縁部は浴槽Ｔの底面に接触し、下端開口７２が浴槽底面に対応して配置されている。さらに下端開口７２は浴槽底面に沿う方向（後方）に向けて開放されている。
【００４８】
垂下吸引管７の素材は特に限定されるものではなく、硬質性のものであっても軟質性のものであっても良いが、垂下吸引管７の下端縁を無理なく浴槽底面に接触させることができるように、軟質性ないし弾力性の素材を採用するのが好ましい。
【００４９】
以上のように構成された本実施形態の給湯アダプタＰは図１に示すように、槽外取付部材１の往き管接続部１ａが室外給湯機９の吐出口９ａに往き管９１ａを介して連結されるとともに、戻り管接続部１ｂが給湯機９の吸引口９ｂに戻り管９１ｂを介して連結されて、給湯システムが形成されている。
【００５０】
本実施形態に採用される給湯機９は、内部に制御装置が設けられた全自動式のものであり、浴室やキッチンの壁面に取り付けられた操作パネル（図示省略）からの指令に応答して制御装置が作動して給湯機９の駆動が制御されて、湯はりや追焚等が実行されるようになっている。
【００５１】
まず一般的な湯はりをダブル搬送方式で行う場合、給湯機９の吐出口９ａおよび吸引口９ｂの双方から湯水が吐出されてその湯水が往き管９１ａおよび戻り管９１ｂを通って給湯アダプタＰの吐出流路Ａおよび吸引流路Ｂに供給される。さらにその湯水は吐出流路Ａおよび吸引流路Ｂを通って給湯アダプタＰの吐出口３７ａおよび吸引口３７ｂから浴槽Ｔ内に供給される。これにより所定量の湯水が浴槽Ｔ内に貯留されるようになっている。
【００５２】
シングル搬送方式で湯はりを行う場合には、給湯機９の吐出口９ａのみから湯水が吐出されてその湯水が往き管９１ａ、給湯アダプタＰの吐出流路３７ａを通って吐出口３７ａから浴槽Ｔ内に供給されるようになっている。
【００５３】
また追焚の場合には、給湯機９の吸引口９ｂが負圧となり、戻り管９１ｂ内、給湯アダプタＰの吸引流路Ｂ、吸引口３７ｂが負圧となる。これにより浴槽Ｔ内の湯水が給湯アダプタＰの吸引口３７ｂから吸引流路Ｂ内に吸引されて、さらにその湯水が戻り管９１ｂを通って給湯機９の吸引口９ｂから吸い込まれる。給湯機９に戻された湯水は加熱された後、給湯機９から吐出されて往き管９１ａ、給湯アダプタＰの吐出流路Ａを通って浴槽Ｔ内に吐出される。こうして浴槽Ｔと給湯機９との間で湯水が循環されて浴槽内の湯水が所定の温度に調整される。
【００５４】
ところで本実施形態においては給湯機９は、戻り管９１ｂを介して給湯機９に戻される湯水に対し、上記したように加熱して浴槽Ｔに戻す循環処理を行う他に、排出してしまう排水処理を行えるようになっており、給湯機９の制御装置は、必要に応じて循環処理と排水処理とを切り替えることができるようになっている。さらに制御装置は家庭内のネットワークに接続されており、携帯電話、スマートフォン、タブレット端末等を用いて外出先等の遠隔地からインターネット回線を介して与えられた指令に応答して、以下に説明するように湯はりを自動的に行うようになっている。
【００５５】
初期状態では浴槽Ｔ内に残り湯が残っている状態とする。この状態から給湯機９が遠隔操作等によって湯はりの指令を受け取ると、給湯機９の吸引口９ｂが負圧に設定されて、給湯アダプタＰの垂下吸引管７の下端開口７２から吸引されて、その湯水が垂下吸引管７、吸引流路Ｂ、戻り管９１ｂを通って給湯機９に吸引される。こうして給湯機９に吸引された湯水（残り湯）は排出される（排水処理）。この排水処理が継続して行われて給湯機９の吸引口９ｂから湯水が吸引されなくなった時点で、換言すれば浴槽Ｔ内の残り湯がほとんど無くなった時点で排水処理が完了する。その後、上記と同様に湯はりが行われて、浴槽Ｔ内に所定量の湯水が貯められる。
【００５６】
一方残り湯がない状態で遠隔操作によって湯はりを行った場合、排水処理を開始しても給湯機９に湯水が吸引されないため、残り湯がないと判断される。このように残り湯がない場合には、排水処理が行われずに直ちに湯はりが行われることになる。
【００５７】
以上のように本実施形態の給湯システムにおいては、浴槽Ｔ内に湯水が残っていても残っていなくても遠隔操作によって確実に湯はりを行うことができる。
【００５８】
ところで湯はりにおいては湯水を浴槽Ｔ内に所定量供給した後、浴槽Ｔおよび給湯機９間で湯水を循環させて浴槽Ｔ内の湯温を調整する湯温調整処理を行うのが一般的である。従って排水栓を閉め忘れた状態（開いたままの状態）で湯はりを行った場合、浴槽Ｔ内に湯水を供給しても湯水が貯まらないため、上記の湯温調整処理の際に給湯機９に湯水が吸引されない。このように給湯９機から湯水を所定量供給したにもかかわらず、給湯機９に湯水が吸引されない場合には、湯はりエラーとなり、湯はりが直ちに中止されるようになっている。
【００５９】
以上のように本実施形態の給湯システムにおいては、給湯アダプタＰの吸引口３７ｂに垂下吸引管７を連結してその垂下吸引管７の下端開口７２を浴槽底面に対応して配置しているため、垂下吸引管７を介して浴槽Ｔ内の残り湯を給湯機９に吸引して排出することができる。このように残り湯を排出する際に浴槽Ｔの排水栓を手動で開操作しなくとも良く、残り湯を給湯機９によって自動的に排出できるため、残り湯が残っている状態であっても遠隔操作等によって湯はりを確実に行うことができる。
【００６０】
また本実施形態の給湯アダプタＰにおいては、垂下吸引管７の下端開口７２を浴槽底面に接触するように配置しているため、底面付近の残り湯まで確実に排出することができ、良好な排水性能を得ることができる。その上さらに垂下吸引管７の下端開口７２を浴槽底面に沿う方向に向けて開放するように配置しているため、残り湯が少量であっても浴槽底面付近の湯水が垂下吸引管７の下端開口７２にスムーズに吸引され、排水性能をより一層向上させることができる。
【００６１】
また本実施形態においては、給湯アダプタＰの吸引流路Ａにフィルター５を配置して、浴槽Ｔから吸引された湯水をフィルター５に通過させてから給湯機９に戻すようにしているため、湯水内に含まれる毛髪や塵埃等の異物をフィルター５によって除去することができる。このため毛髪や塵埃等の異物が給湯機内に吸い込まれることがなく、その吸込による不具合を確実に防止することができる。
【００６２】
しかも本実施形態の給湯アダプタＰにおいては、前蓋４のフィルター出入口４１を介してフィルター部材５１（フィルター５）を流路仕切部材３のフィルター収容凹部３８に挿脱自在に収容しているため、フィルター５を必要時に簡単に取り外すことができ、フィルター５の清掃等のメンテナンスを難なく行うことができる。
【００６３】
また本実施形態においては垂下吸引管７をアダプタ本体の吸引口３７ｂに対し着脱自在に取り付けているため、垂下吸引管７だけを適当なサイズや形状のものに交換するだけで簡単に、給湯アダプタＰの取付位置や浴槽Ｔの形状に的確に対応させることができ、十分な排水性能をより確実に得ることができる。さらにアダプタＰからの排水が必要ない場合等、垂下吸引管７が必要ない場合には不要部品としての垂下吸引管７を取り外しておくことができる。
【００６４】
また本実施形態においては垂下吸引管７の下側部を浴槽側壁および底壁間のコーナー部内周面に沿うような湾曲部７１に形成しているため、垂下吸引管７を浴槽内面に沿って収まり良く配置することができ、良好な美観を得ることができる。
【００６５】
また本実施形態においては、浴槽側壁に組み込まれた既存の給湯アダプタを上記本実施形態の給湯アダプタに取り替えるだけで上記のような自動排水機能を得ることができる。例えば既存の給湯アダプタの流路仕切部材を、本実施形態の給湯アダプタＰにおける流路仕切部材３に取り替えるだけで実施することができる。このため本実施形態の給湯アダプタＰは、排水栓一体型給湯アダプタを新たに浴槽底壁に組み付けるような場合と比較して、大がかりな工事を必要とせず簡単に組み付けることができる。
【００６６】
なお上記実施形態においては、遠隔操作によって湯はりを行った際に、残り湯がある場合には残り湯を排出した後、湯はりを開始するようにしているが、それだけに限られず、本発明においては、遠隔操作ではなく、浴室等の操作パネルを介して湯はりを行うような通常の湯はりを行った際に、上記と同様に残り湯がある場合には残り湯を排出した後、湯はりを開始するように構成しても良い。
【産業上の利用可能性】
【００６７】
この発明の浴槽の給湯アダプタは、例えば一般住宅等の浴槽に適用することができる。
【符号の説明】
【００６８】
３７ａ：吐出口
３７ｂ：吸引口
５：フィルター
７：垂下吸引管
７１：湾曲部
７２：下端開口
９：給湯機
９１ａ：往き管
９１ｂ：戻り管
Ａ：吐出流路
Ｂ：吸引流路
Ｐ：給湯アダプタ
Ｔ：浴槽
【図１】
2016209377.tif 000003
【図２】
2016209377.tif 000004
【図３】
2016209377.tif 000005
【図４】
2016209377.tif 000006
【図５】
2016209377.tif 000007
【図６】
2016209377.tif 000008
【図７】
2016209377.tif 000009